(57)【要約】【課題】ワンサイドボルトの延長線上に障害物がある場所であっても締付け作業を容易に行うことができ、しかもワンサイドボルトの工具係合部を廻しながらこれを被締着材側へ押圧することが容易にできるワンサイドボルトの締め付け工具を提供すること。【解決手段】スリーブの工具係合部２ａに係合される第１の係合孔５ａが先端側に形成された本体５と、前記ボルト３の工具係合部３ａに係合される第２の係合孔６ａが先端側に形成され、前記第１の係合孔５ａに前記スリーブ２の工具係合部２ａが係合されたときに、前記第２の係合孔６ａが前記ボルト３の工具係合部３ａに係合されるように、前記本体５内に回転自在に設けられた回転部６と、回転部６の基端側に設けられた自在継手７と、本体５から側方へ突出して設けられた取っ手８と、を備えることを特徴とするワンサイドボルト締め付け工具。【選択図】図１
2005096035.tif 000002
【特許請求の範囲】
【請求項１】
基端外周面に工具係合部が形成されたスリーブに、前記工具係合部より小径の工具係合部が基端部に形成されたボルトが互いの工具係合部が当接するまで挿入されてなるワンサイドボルト、を締め付けるための工具であって、
前記スリーブの工具係合部に係合される第１の係合孔が先端側に形成された本体と、
前記ボルトの工具係合部に係合される第２の係合孔が先端側に形成され、前記第１の係合孔に前記スリーブの工具係合部が係合されたときに、前記第２の係合孔が前記ボルトの工具係合部に係合されるように、前記本体内に回転自在に設けられた回転部と、
前記回転部の基端側に設けられた自在継手と、
前記本体から側方へ突出して設けられた取っ手と、を備えることを特徴とするワンサイドボルト締め付け工具。
【請求項２】
前記回転部が、前記本体内で回転軸方向にスライド可能に設けられると共に、弾性体によって基端側に押圧され、前記第２の係合孔の内周先端部が、先端側に向って拡開していることを特徴とする請求項１記載のワンサイドボルト締め付け工具。
【発明の詳細な説明】
【技術分野】
【０００１】
本発明は、ワンサイドボルトの締め付け工具に関するものである。
【背景技術】
【０００２】
２つの材料同士を締着する場合、ボルトを材料に貫通させて締め付ける方式が多用されている。一般のボルト及びナットを用いて材料を締着させるためには、材料の一方側でナットを固定しておき、反対側のボルトの頭部を回転させる等の作業が必要である。しかし、締着する材料が大きい場合や反対側が隠蔽されており物理的に一方側からしか締付けを行うことができない場合、例えば、建築物の躯体、プラントのタンク等を締着するには反対側のボルトの回転作業が一人では困難となる場合が多い。
【０００３】
しかし、このような問題は、ワンサイドボルトを用いることで解決される。ワンサイドボルトは、締着する部材の一方側から締付けるだけで、反対側でのナットやボルトの固定作業を必要とせずに締め付けを行うことができる締着具であり、市場には様々な種類のワンサイドボルトが提供されている。
【０００４】
ワンサイドボルトの一つに、図６に示すようなものがある。このワンサイドボルト４は、スリーブ２と該スリーブ２に貫入されたボルト３からなる。スリーブ２は、先端内周面に形成された雌螺子２ｂと、基端外周部に形成された例えば六角形の工具係合部２ａと、中間部に長手方向へ複数形成されたスリット３１を備える。最初に、ボルト３の工具係合部３ａがスリーブ２の工具係合部２ａに当接するまでねじ込まれた状態で被締着材１４の下穴１４ａに挿入され、締め付けは、図６（ａ）に示すように、スパナ３２等でスリーブ２の工具係合部２ａが共廻りしないように係止しつつ、箱レンチ３３等でボルト３を締め付け方向に廻す。そうすると、ボルト３に螺合されたスリーブ２の先端部が基端側に引き寄せられて、スリット３１同士の間の帯状部２ｃが拡張展開しつつ、くの字に塑性変形し、最終的に、図６（ｂ）に示すように、塑性変形した帯状部２ｃとスリーブ２の工具係合部２ａによって被締着材１４が締め付けられる。
【０００５】
ところが、上記ワンサイドボルト４によれば、一方側から締め付け作業が可能となるものの、同時に次のような問題が生じる。すなわち、ワンサイドボルト４の締め付けを開始してから、スリーブ２の帯状部２ｃが完全に展開するまでの間、スリーブ２の工具係合部２ｃが被締着材１４の表面から離れないように、ボルト３及びスリーブ２の頭部を被締着材１４側へ押さえつけながら締付け作業を行う必要がある。スリーブ２の工具係合部２ａが被締着材１４の表面から離れた状態で締め付け作業を行うと被締着材１４をしっかりと締着することができない可能性があるからである。
【０００６】
そのためのボルト３の締め付け工具として、被締着材１４側へ押圧しながら締め付け作業を行うことができる箱レンチ３３等が用いられるが、それでも作業者が一人で締め付け作業を行う場合には、一方の手でボルト３の押圧及び締め付けを行いつつ、他方の手でスリーブ２の共廻りを固定しなければならず、これによりボルト３の押圧に十分な力を加えることが困難であるという問題があった。
【０００７】
かかる問題を解決するワンサイドボルトの締め付け工具として、図７に示すような専用工具が市販されている。この専用工具３５は、インパクトレンチ等の電動機３６の本体先端部に固定され先端内周面にスリーブ２の工具係合部２ａが係合される係合孔３７ａが形成された中空状の廻り止め工具３７と、電動機３６の回転軸１２に直結して前記廻り止め工具３７内に設けられ、ワンサイドボルト４のボルト３の工具係合部３ａに係合して該ボルト３を締め付けるボルト締め付け工具３８と、からなる。廻り止め工具３７をスリーブ２の工具係合部２ａに係合するとともに、ボルト締め付け工具３８をボルト３の工具係合部３ａに係合させて、電動機３６を駆動させることにより、廻り止め工具３７によってスリーブ２が固定された状態で、ボルト３が締め付けられるので、この専用工具３５が装着された電動機３６によれば作業者は両手で電動機３６をワンサイドボルト４側に押し付けながら、駆動スイッチ３６ａを入れるだけで、締め付け作業を的確に行うことができる。
【０００８】
しかしながら、上記専用工具３５が装着された電動機３６で作業を行う場合にも別の問題が生じる。例えば図８に示すように、ワンサイドボルト４を用いて、梁１４Ａのウエブと梁つなぎ１４Ｂの端部を直角に接続しようとする場合には、専用工具３５をワンサイドボルト４の工具係合部２ａ、３ａに係合しようとしても、電動機３６が梁つなぎ１４Ｂに干渉し、使用することができないという問題が生じる。つまり、ワンサイドボルト４の軸延長線上に障害物があると上記専用工具３５を装着した電動機３６を使用することができないという問題がある。
【０００９】
一方、特許文献１に開示されているような自在継手が回転軸の途中に設けられた箱レンチ等を用いればワンサイドボルト４のボルト３を締め付けることは可能となるものの、自在継手が回転軸の途中に設けられれば、ワンサイドボルト４の頭部を押圧することが困難となる。
【特許文献１】特開平９−１０９０４１号公報
【発明の開示】
【発明が解決しようとする課題】
【００１０】
本発明は、かかる課題に鑑みてなされたものであり、ワンサイドボルトの延長線上に障害物がある場所であっても締付け作業を容易に行うことができ、しかもワンサイドボルトの工具係合部を廻しながらこれを被締着材側へ押圧することが容易にできるワンサイドボルトの締め付け工具を提供することを目的とする。
【課題を解決するための手段】
【００１１】
上記目的を達成するために、請求項１記載のワンサイドボルト締め付け工具は、基端外周面に工具係合部が形成されたスリーブに、前記工具係合部より小径の工具係合部が基端部に形成されたボルトが互いの工具係合部が当接するまで挿入されてなるワンサイドボルト、を締め付けるための工具であって、前記スリーブの工具係合部に係合される第１の係合孔が先端側に形成された本体と、前記ボルトの工具係合部に係合される第２の係合孔が先端側に形成され、前記第１の係合孔に前記スリーブの工具係合部が係合されたときに、前記第２の係合孔が前記第１の係合孔を通過した前記ボルトの工具係合部に係合されるように、前記本体内に回転自在に設けられた回転部と、前記回転部の基端側に設けられた自在継手と、前記本体から側方へ突出して設けられた取っ手と、備えることを特徴としている。
【００１２】
請求項２記載のワンサイドボルト締め付け工具は、請求項１記載のワンサイドボルト締め付け工具において、前記回転部が、前記本体内で回転軸方向にスライド可能に設けられると共に、弾性体によって基端側に押圧され、前記第２の係合孔の内周先端部が、先端側に向って拡開していることを特徴としている。
【発明の効果】
【００１３】
請求項１記載のワンサイドボルト締め付け工具によれば、ワンサイドボルトの軸延長線上に障害物がある場所であってもワンサイドボルトの締付け作業を容易に行うことができる。しかも、締め付けの際に取っ手を被締着材側へ押圧しながら回転しないように固定することでワンサイドボルトを締め付けながら被締着材側へ押圧することが容易に行える。
【００１４】
請求項２記載のワンサイドボルト締め付け工具によれは、第２の係合孔とスリーブの工具係合部の形状の対応が視認できなくても、容易に第２の係合孔をスリーブの工具係合部に係合させることができる。
【発明を実施するための最良の形態】
【００１５】
以下、本発明の第１の実施の形態に係るワンサイドボルト締め付け工具について、図面に基づき説明する。図１に示す、本発明の第１の実施の形態に係るワンサイドボルト締め付け工具１は、基端外周面に工具係合部２ａが形成されたスリーブ２に、前記工具係合部２ａより小径の工具係合部３ａが基端部に形成されたボルト３が互いの工具係合部２ａ、３ａが当接するまで挿入され、一方の工具係合部２ａを固定するとともに他方の工具係合部３ａを廻すことによって締め付けが行われるワンサイドボルト４を締め付けるためのものである。なお、本実施の形態においては、従来技術の欄で説明したワンサイドボルト４に対して締め付け施工を行う場合を例に挙げて説明し、該ワンサイドボルト４自体の説明については、従来技術の欄で既述したので同符号を付してその説明を省略する。
【００１６】
ワンサイドボルト締め付け工具１は、主に、本体５、回転部６、自在継手７及び取っ手８で構成されており、何れも十分な強度及び剛性を有する。本体５は、例えば図示するような中空状の部材で構成されており、その内部に回転部６の嵌入空間９として円柱状の空洞が形成されている。そして、本体５のワンサイドボルト４に当接される先端側には、ワンサイドボルト４のスリーブ２の工具係合部２ａに係合される第１の係合孔５ａが形成されている。また、前記スリーブの工具係合部２ａの挿入止端であって、ボルト３の工具係合部３ａを回転部の嵌入空間９に導くのに十分な内径を有する連通穴が形成された止端壁５ｂが第１の係合孔５ａと嵌入空間９の間に形成されている。なお、この止端壁５ｂは、第１の係合孔５ａと第２の係合孔の径差が十分にある場合など、回転部６の先端面が止端壁として機能させることが可能な場合は、省略されていてもよい。
【００１７】
回転部６は、略円柱状の外形を有し、先端側にボルト３の工具係合部３ａに係合される第２の係合孔６ａが形成され、その基端側に自在継手７が設けられている。また、回転部６は、嵌入空間９に回転摺動抵抗を低減させるための薄筒状の軸受材１０を介して嵌入され、さらに、本体５からの脱落を防止するために、回転部６の外周面に形成された周溝５ｃ及び本体５を貫通する抜け止めピン１１が設けられている。
【００１８】
自在継手７の基端部には、インパクトレンチ等の電動機の回転軸との継手７ａが設けられており、該継手７ａに接続された電動機の回転軸１２と回転部６の軸方向が一定の角度内であれば、これらを回転自在に連結するようになっている。
【００１９】
取っ手８は、ワンサイドボルト締め付け工具１を使用してワンサイドボルト４を締め付ける際に、作業者が握ってワンサイドボルト４の頭部（工具係合部２ａ、３ａ）を被締着材１４側へ容易に押さえつけることができるものであればよく、例えば図示するように、一端側が本体５に溶接等にて固定され他端側が本体５から一側方へ突出して設けられた取っ手８を設けることができる。なお、取っ手８が設けられる位置は本体の何れの箇所であってもよく、設けられる取っ手の個数も１個に限定されない。さらにまた、取っ手８の形状も、本体をワンサイドボルト４側に押圧しつつスリーブ２が共廻りしないように抑えることができるものであれば、図示するものに限定されない。
【００２０】
つぎに、上記した構成を備えるワンサイドボルト締め付け工具１を用いてワンサイドボルト４を締め付ける様子について、図２に基づいて説明する。図示するワンサイドボルト４は、重合された２個の被締着材１４に貫通された孔１４ａにスリーブ２の工具係合部２ａが当接するまで挿入されており、被締着材１４に挿入されたワンサイドボルト４の軸延長線上には障害物１５がある。例えば図３に示すような、建築物のＨ型鋼からなる梁１４Ａにリップ溝型鋼からなる梁つなぎ１４Ｂをワンサイドボルト４により接続する場合における、梁つなぎ１４Ｂのフランジ部等が障害物１５となる。
【００２１】
図２（ａ）に示すように、電動機の回転軸１２に接続されたワンサイドボルト締め付け工具１の第１及び第２の係合孔５ａ、６ａをワンサイドボルト４の工具係合部２ａ、３ａにそれぞれ係合させる。係合させるに際しては、取っ手８と自在継手（電動機の回転軸１２）を作業者の手で適宜廻しながら第１の係合孔５ａとスリーブ２の工具係合部２ａ、第２の係合孔６ａとボルト３の工具係合部３ａがそれぞれ嵌まり込むように合致させる。なお、ワンサイドボルト締め付け工具１と電動機の回転軸１２との接続は、ワンサイドボルト締め付け工具１をワンサイドボルト４に嵌め込んだ後に行っても良い。
【００２２】
次いで、図２（ｂ）に示すように、ワンサイドボルト締め付け工具１の第１及び第２の係合孔５ａ、６ａをワンサイドボルトの工具係合部２ａ、３ａにそれぞれ係合し、作業者の手で取っ手８を被締着材１４側に押圧しつつ回転しないように保持して、電動機の回転軸１２を回転駆動させる。電動機による回転駆動力は、自在継手７を介して回転部６に伝達され、スリーブ２が固定された状態で、回転部６に係合されたボルト３が廻される。すると、図２（ｃ）に示すように、ワンサイドボルト４が締め付けられ、スリーブ２がくの字に展開して２個の被締着材１４が、締着固定される。
【００２３】
以上の説明から明らかなように、第１の実施の形態に係るワンサイドボルト締め付け工具１によれば、ワンサイドボルト４の軸延長線上に障害物がある場所であってもワンサイドボルト４の締付け作業を容易に行うことができ、しかもワンサイドボルト４の工具係合部３ａを廻す際にこれを被締着材１４側へ容易に押圧しながら行うことができるので、ワンサイドボルト４による締着施工の作業負荷が軽減し、なお且つ、施工の的確性が向上する。
【００２４】
次に、本発明の第２の実施の形態に係るワンサイドボルト締め付け工具１Ａについて、図面に基づき説明する。なお、第１の実施の形態と同様の構成部分については、同符号を付してその説明を省略し、特徴部分についてのみ説明する。
【００２５】
第２の実施の形態に係るワンサイドボルト締め付け工具１Ａは、図４に示すように、前述した第１の実施の形態に係るワンサイドボルト締め付け工具１において、回転部６Ａが本体５内で回転軸方向にスライド可能に設けられ、なお且つ、スリーブ２の工具係合部２ａと本体５の第１の係合孔５ａとが係合するときに、ボルト３の工具係合部３ａと回転部６Ａの第２の係合孔６ａが当接しないように、同回転部６Ａが弾性体２１によって基端側に押圧されることにより第１の係合孔５ａと第２の係合孔６ａが離間され、さらに第２の係合孔６ａの内周先端部が先端側に向って拡開された拡開テーパ部６ｂが設けられたものである。
【００２６】
回転部６Ａを本体５内で回転軸方向にスライド可能に設けるために、前述した回転部６の周溝５ｃと抜け止めピン１１が省略され、一体の薄筒状の軸受材２２が本体５の内周面に嵌入され、本体５の基端側から、内周面が回転部６Ａの軸受けとなるフランジ２３ａ付きブッシュ２３が挿入固定されている。そしてさらに、回転部６Ａの中間部外周面にバネリテーナ２４が突設され、該バネリテーナ２４と本体５の間に形成される空間にバネ２１が自然長から圧縮された状態で格納されている。なお、バネリテーナ２４は、弾性体２１によって基端側に押圧されて、工具係合部２ａと第１の係合孔５ａとが係合されるときに、工具係合部３ａと第２の係合孔６ａが当接しないように、回転部６Ａに対して設けられている。
【００２７】
上記のように構成された第２の実施の形態に係るワンサイドボルト締め付け工具１Ａをワンサイドボルト４の工具係合部２ａ、３ａに係合させる場合について、図５に基づいて説明する。なお、該図においては、右にワンサイドボルト締め付け工具１Ａの軸方向縦断面図を左にその底面図を示し、自在継手７等の図示は省略している。
【００２８】
図５（ａ）乃至（ｂ）に示すように、スリーブ２の工具係合部２ａの形状（２点鎖線で図示）と第１の係合孔５ａの係合面の形状を作業者の取っ手８の回転操作により合致させることで、ワンサイドボルト締め付け工具１の係合孔５ａをワンサイドボルト４の工具係合部２ａへ嵌め込む。このとき、回転部６Ａは基端側にバネ２１によって押圧されて第１の係合孔５ａと第２の係合孔６ａが十分に離間しているために、第２の係合孔６ａとボルト３の工具係合部３ａは当接せず、ワンサイドボルト締め付け工具１の係合孔５ａとワンサイドボルト４の工具係合部２ａの係合が容易に行われる。そして、図５（ｂ）に示すように、ボルト３の工具係合部３ａの形状（２点鎖線で図示）と第２の係合孔６ａの係合面の形状が合致していない場合には、作業者等により自在継手７若しくはこれに接続された電動機の回転軸１２を先端側へ推しつけながら回転させることで、回転部６Ａをワンサイドボルトのボルト３側へ推しつけながら回転する。すると、図５（ｃ）に示すように、回転部６Ａの第２の係合孔６ａとボルト３の工具係合部３ａの形状が合致したときに、係合孔６ａにボルト３の工具係合部３ａが嵌入（係合）される。
【００２９】
このように、第２の実施の形態に係るワンサイドボルト締め付け工具１Ａによれば、第２の係合孔６ａが本体５に覆われていて、ボルト３の工具係合部３ａの形状に対応する角度位置が外部から視認できなくても、第２の係合孔６ａとボルト３の工具係合部３ａを容易に係合させることができる。
【００３０】
なお、本発明の実施の形態において説明したワンサイドボルト締め付け工具１、１Ａを用いて締め付けることができるワンサイドボルト４は、実施例として挙げたスリット３１が形成されたタイプのワンサイドボルト４に限定されない。つまり、基端外周面に工具係合部２ａが形成されたスリーブ２に、該工具係合部２ａより小径の工具係合部３ａが基端部に形成されたボルトが挿入されてなるワンサイドボルトであればワンサイドボルト締め付け工具１、１Ａによって締め付けることが可能である。
【産業上の利用可能性】
【００３１】
本発明は、基端外周面に工具係合部が形成されたスリーブに、前記工具係合部より小径の工具係合部が基端部に形成されたボルトが挿入されてなるワンサイドボルトを締め付けるための工具に適用することができる。
【図面の簡単な説明】
【００３２】
【図１】本発明の第１の実施の形態に係るワンサイドボルト締め付け工具を示した軸方向断面図及びその底面図を示した図である。
【図２】本発明の第１の実施の形態に係るワンサイドボルト締め付け工具を使用してワンサイドボルトを締付ける様子を示した図である。
【図３】本発明の実施の形態に係るワンサイドボルト締め付け工具を使用して梁の接続部のワンサイドボルトを締付けている様子を示した斜視図である。
【図４】本発明の第２の実施の形態に係るワンサイドボルト締め付け工具を示した軸方向断面図及びその底面図を示した図である。
【図５】本発明の第２の実施の形態に係るワンサイドボルト締め付け工具をワンサイドボルトの工具係合部に係合する様子を示した図である。
【図６】従来の工具によってワンサイドボルトを締め付ける様子を示した軸方向断面図である。
【図７】従来のワンサイドボルト専用工具によりワンサイドボルト締め付ける様子を示した軸方向断面図である。
【図８】ワンサイドボルトによって梁に梁つなぎが接続された状態を斜視した説明図である。
【符号の説明】
【００３３】
１    ワンサイドボルト締め付け工具
２    スリーブ
２ａ    工具係合部
３  ボルト
３ａ    工具係合部
４    ワンサイドボルト
５    本体
５ａ  第１の係合孔
６、６Ａ    回転部
６ａ    第２の係合孔
６ｂ    拡開テーパ部
７    自在継手
８    取っ手
２１  弾性体
【図１】
2005096035.tif 000003
【図２】
2005096035.tif 000004
【図３】
2005096035.tif 000005
【図４】
2005096035.tif 000006
【図５】
2005096035.tif 000007
【図６】
2005096035.tif 000008
【図７】
2005096035.tif 000009
【図８】
2005096035.tif 000010